(57)【要約】【課題】  受信品質を一定に維持しつつ効率的に放送データを受信することを可能とすること。【解決手段】  この移動端末２は、放送用電波を受信する電波受信部２１と、放送用電波から放送用データストリームに復調する電波復調部２２と、放送用データストリームに時系列に含まれるＲＴＰパケットを格納するデータ格納部２９と、放送用電波の受信品質が所定条件を満たすか否かを判定する受信品質判定部２４と、ＲＴＰパケットの送信要求を送信する送信要求部２６と、ＲＴＰパケットをデータ通信によって受信するデータ受信部２７と、データ受信部２７によって受信されたＲＴＰパケットをデータ格納部２９に格納するデータ更新部２８と、データ格納部２９に格納されたＲＴＰパケットを、放送用電波の受信時刻から所定時間Ｔ２経過後に伸長して出力するデータ出力部３０とを備える。【選択図】  図１
2006013960.tif 000002
【特許請求の範囲】
【請求項１】
放送用データストリームが変調された搬送波を含む放送用電波を受信する電波受信手段と、
前記放送用電波から搬送波を分離して、前記搬送波を放送用データストリームに復調する電波復調手段と、
前記放送用データストリームに時系列に含まれるデータを格納するデータ格納手段と、
前記放送用電波の受信品質が所定条件を満たすか否かを判定する受信品質判定手段と、
前記受信品質が所定条件を満たさない場合に、前記放送用電波に変調されているデータを特定して、前記データの送信要求を送信する送信要求手段と、
前記送信要求に応じて送信されたデータを、前記放送用電波を利用した通信手段以外のデータ通信手段によって受信するデータ受信手段と、
前記データ受信手段によって受信されたデータをもって、前記データ格納手段に格納されているデータを更新するデータ更新手段と、
前記データ格納手段に格納されたデータを、前記放送用電波の受信時刻から所定時間経過後に伸長して出力するデータ出力手段と、
を備えることを特徴とする移動端末。
【請求項２】
前記送信要求手段は、前記放送用電波に変調されているデータを、前記データに含まれるシーケンス番号により特定し、前記データの送信要求に前記シーケンス番号を付加して送信し、
前記データ更新手段は、前記データ受信手段によって受信されたデータをもって、前記データ格納手段に格納されている前記シーケンス番号を含むデータを更新する、
請求項１記載の移動端末。
【請求項３】
前記送信要求手段は、前記放送用電波に変調されているデータを、前記データに含まれる時刻情報により特定し、前記データの送信要求に前記時刻情報を付加して送信し、
前記データ更新手段は、前記データ受信手段によって受信されたデータをもって、前記データ格納手段に格納されている前記時刻情報を含むデータを更新する、
請求項１記載の移動端末。
【請求項４】
前記送信要求手段は、前記送信要求を移動通信網を介して送信する、
請求項１〜３のいずれか１項に記載の移動端末。
【請求項５】
移動端末が、放送用データストリームが変調された搬送波を含む放送用電波を受信する電波受信ステップと、
前記移動端末が、前記放送用電波から搬送波を分離して、前記搬送波を放送用データストリームに復調する電波復調ステップと、
前記移動端末が、前記放送用データストリームに時系列に含まれるデータを、データ格納手段に格納するデータ格納ステップと、
前記移動端末が、前記放送用電波の受信品質が所定条件を満たすか否かを判定する受信品質判定ステップと、
前記移動端末が、前記受信品質が所定条件を満たさない場合に、前記放送用電波に変調されているデータを特定して、前記データの送信要求を送信する送信要求ステップと、
前記移動端末が、前記送信要求に応じて送信されたデータを、前記放送用電波を利用した通信手段以外のデータ通信手段によって受信するデータ受信ステップと、
前記移動端末が、前記データ受信手段によって受信されたデータをもって、前記データ格納手段に格納されているデータを更新するデータ更新ステップと、
前記移動端末が、前記データ格納手段に格納されたデータを、前記放送用電波の受信時刻から所定時間経過後に伸長して出力するデータ出力ステップと、
を備えることを特徴とする放送受信方法。
【発明の詳細な説明】
【技術分野】
【０００１】
本発明は、移動端末及び放送受信方法に関するものである。
【背景技術】
【０００２】
近年、携帯電話機等の通信端末の高機能化に伴い、通信端末にテレビ放送やラジオ放送の受信・再生機能が搭載されるようになっている。このような通信端末における電波受信環境は、その移動性から時々刻々変化し、特にマルチパスフェージング（多重波伝搬）により受信レベルが大きく変動する。デジタル変調方式を用いて伝送されたデジタル放送用電波を受信する場合は、電波受信環境の劣化により、再生映像の一部にブロックノイズが発生したり、再生音声の一部が途切れるパルス性雑音が発生したり、データの一部が化けたりするような現象が生じる。
【０００３】
このようなデジタルデータの受信品質低下に対処するための技術として、送信側で映像音声データを各フレームに分割して送信し、受信側でフレームの誤り、あるいは欠落が検出された場合に、時間的に１つ前のフレームによって補完するデータ送受信システムが開示されている（下記特許文献１参照）。また、受信側で受信したデータフレーム内のデータ位置毎に受信品質を推定して送信側に通知し、送信側でデータフレーム内のデータの再配置を行う通信システムも開示されている（下記特許文献２参照。）。
【特許文献１】特開２００１−１６９２７７号公報
【特許文献２】特開２００４−３２７１２号公報
【発明の開示】
【発明が解決しようとする課題】
【０００４】
しかしながら、上記特許文献１記載のデータ送受信システムにおいては、ブロックノイズやパルス性雑音はある程度低減されるが、映像が突然静止したり、同じ音声が不自然に連続したりする現象が発生し、放送データの品質を一定に維持することが困難であった。また、下記特許文献２記載の通信システムでは、受信品質の高い位置にデータを再配置させることによって受信品質の向上を図ることは可能であるが、受品品質がある程度確保された位置を用いることで、データ伝送の帯域幅が狭くなってしまい、放送データの効率的な伝送を妨げる結果となる。
【０００５】
そこで、本発明はかかる課題に鑑みて為されたものであり、受信品質を一定に維持しつつ効率的に放送データを受信することが可能な移動端末及び放送受信方法を提供することを目的とする。
【課題を解決するための手段】
【０００６】
上記課題を解決するため、本発明の移動端末は、放送用データストリームが変調された搬送波を含む放送用電波を受信する電波受信手段と、放送用電波から搬送波を分離して、搬送波を放送用データストリームに復調する電波復調手段と、放送用データストリームに時系列に含まれるデータを格納するデータ格納手段と、放送用電波の受信品質が所定条件を満たすか否かを判定する受信品質判定手段と、受信品質が所定条件を満たさない場合に、放送用電波に変調されているデータを特定して、データの送信要求を送信する送信要求手段と、送信要求に応じて送信されたデータを、放送用電波を利用した通信手段以外のデータ通信手段によって受信するデータ受信手段と、データ受信手段によって受信されたデータをもって、データ格納手段に格納されているデータを更新するデータ更新手段と、データ格納手段に格納されたデータを、放送用電波の受信時刻から所定時間経過後に伸長して出力するデータ出力手段と、を備える。
【０００７】
或いは、本発明の放送受信方法は、移動端末が、放送用データストリームが変調された搬送波を含む放送用電波を受信する電波受信ステップと、移動端末が、放送用電波から搬送波を分離して、搬送波を放送用データストリームに復調する電波復調ステップと、移動端末が、放送用データストリームに時系列に含まれるデータを、データ格納手段に格納するデータ格納ステップと、移動端末が、放送用電波の受信品質が所定条件を満たすか否かを判定する受信品質判定ステップと、移動端末が、受信品質が所定条件を満たさない場合に、放送用電波に変調されているデータを特定して、データの送信要求を送信する送信要求ステップと、移動端末が、送信要求に応じて送信されたデータを、放送用電波を利用した通信手段以外のデータ通信手段によって受信するデータ受信ステップと、移動端末が、データ受信手段によって受信されたデータをもって、データ格納手段に格納されているデータを更新するデータ更新ステップと、移動端末が、データ格納手段に格納されたデータを、放送用電波の受信時刻から所定時間経過後に伸長して出力するデータ出力ステップと、を備える。
【０００８】
このような移動端末及び放送受信方法によれば、移動端末が放送用電波を受信した後、放送用電波から搬送波を分離して復調することにより、映像データや音声データを含む放送用データストリームに復調し、データストリームに含まれるデータをデータ格納手段にいったん格納する。また、移動端末は、放送用電波の受信品質を判定して所定条件を満たさない場合に、その時の放送用電波に変調されているデータを特定して送信要求し、再送されてきたデータを放送用電波以外の通信媒体によって受信して、データ格納手段に格納されているデータと置き換えた後、データ格納手段に格納されているデータを電波受信時刻から一定時間遅延させて出力する。これにより、電波受信環境の劣化により受信品質が所定条件を満たさない場合は、データ通信によって再度データを受信して補完することで、放送用電波の帯域幅を維持して効率的なデータ伝送を実現しながら放送の受信品質の劣化を防止することができる。
【０００９】
また、送信要求手段は、放送用電波に変調されているデータを、データに含まれるシーケンス番号により特定し、データの送信要求にシーケンス番号を付加して送信し、データ更新手段は、データ受信手段によって受信されたデータもって、データ格納手段に格納されているシーケンス番号を含むデータを更新することが好ましい。この場合、移動端末は、データを送信側で採番されたシーケンス番号で特定して送信要求を行い、該当シーケンス番号が付されたデータを更新するので、送信側に対して確実に送信要求対象のデータを通知して補完することができる。
【００１０】
さらに、送信要求手段は、放送用電波に変調されているデータを、データに含まれる時刻情報により特定し、データの送信要求に時刻情報を付加して送信し、データ更新手段は、データ受信手段によって受信されたデータをもって、データ格納手段に格納されている時刻情報を含むデータを更新することも好ましい。このような構成とすれば、移動端末は、データを送信側で記録された時刻情報で特定して送信要求を行い、該当時刻情報が付されたデータを更新するので、送信側に対して確実に送信要求対象のデータを通知して補完することができる。
【００１１】
またさらに、送信要求手段は、移動通信網を介して送信することも好ましい。かかる送信要求手段を備えると、移動端末の送信要求が迅速に伝送されることで、放送用電波受信から放送データ出力までの遅延時間をより短く設定することができる。
【発明の効果】
【００１２】
本発明の移動端末によれば、受信品質を一定に維持しつつ効率的に放送データを受信することができる。
【発明を実施するための最良の形態】
【００１３】
本発明の実施形態について図面を参照して説明する。なお、各図において、同一要素には同一符号を付して重複する説明を省略する。
【００１４】
図１は、本発明にかかるデジタル放送受信システムの好適な一実施形態を示す概略構成図である。同図に示すデジタル放送受信システム１は、放送用電波を中継送信する放送用電波中継局３と、放送用電波を受信して出力する移動端末２と、放送用電波に変調されているパケットデータを格納するデータ配信装置４と、移動端末２とデータ配信装置４とを接続する通信ネットワーク５とを含んで構成されている。ここで、移動端末２とデータ配信装置４とは、ＩＭＴ−２０００（International Mobile Telecommunications - 2000）方式、ＰＤＣ（Personal Digital Cellular Telecommunication System）方式、ＰＨＳ（Personal Handyphone System）方式等の通信方式が適用された移動通信ネットワークを含む通信ネットワーク５を介して、相互にデータの送受信が可能とされている。なお、図１においては、説明の便宜上、移動端末を１台のみ表示しているが、図示しない他の移動端末を含んでいても良い。
【００１５】
以下、移動端末２及びデータ配信装置４の構成について詳細に説明する。
【００１６】
移動端末２は、移動体通信方式による音声通信、パケットデータ通信とともに、デジタルテレビ放送の受信、再生、及び録画が可能な通信端末である。このような通信端末の例としては、携帯電話機、ＰＨＳ、ＰＤＡ（Personal Digital Assistants）、可搬型パーソナルコンピュータ等が挙げられる。この移動端末２は、データの再生出力手段としてのディスプレイ３２及びスピーカ３３の他、電波受信部（電波受信手段）２１、電波復調部（電波復調手段）２２と、レベル測定部２３と、受信品質判定部（受信品質判定手段）２４と、遅延処理部２５と、送信要求部（送信要求手段）２６と、データ受信部（データ受信手段）２７と、データ更新部（データ更新手段）２８と、データ出力部（データ出力手段）３０と、データ格納部（データ格納手段）２９と、録画データ格納部３１とを含んで構成されている。
【００１７】
電波受信部２１は、最寄りの放送用電波中継局３からデジタルテレビ放送用電波を受信する部分である。この放送用電波は、例えば、ＯＦＤＭ（Orthogonal Frequency Division Multiplexing）方式等で多重化された複数の搬送波を含むものである。それぞれの搬送波は、音声データ、映像データ、及び文字データ等が圧縮されたデジタル信号である放送用データストリームを、ＱＰＳＫ（Quadrature Phase Shift Keying）方式等で変調した状態で搬送するためのものである。この放送用データストリームは、複数のＲＴＰ（Real Time Transport Protocol）パケット（パケットデータ）によって時系列に分割されている。また、ＲＴＰパケットに含まれる音声データは、ＭＰＥＧ−２  ＡＡＣ（Moving Picture Experts Group 2 Advanced Audio Coding）方式等で圧縮され、映像データは、ＭＰＥＧ−４（Moving Picture Experts Group 4）方式、Ｈ．２６４方式等で圧縮されている。
【００１８】
ここで、電波受信部２１は、移動端末２に備えられた操作ボタン等の入力手段からのデジタルテレビ放送の視聴開始指示の受付を契機として、所定周波数帯の放送用電波を受信する。電波受信部２１は、受信した放送用電波を連続的に電波復調部２２に出力するとともに、放送用電波の受信開始時刻情報を遅延処理部２５に送出する。
【００１９】
電波復調部２２は、電波受信部２１から受け取った放送用電波から搬送波を分離して、その搬送波を復調することにより、搬送波から放送用データストリームを取り出す部分である。具体的には、電波復調部２２は、ＯＦＤＭ方式によって複数の搬送波が多重化された放送用電波から該当の搬送波を取り出した後、搬送波をベースバンド信号に復調して、ベースバンド信号をデジタルデータである放送用データストリームに変換する。また、電波復調部２２は、受け取った放送用電波をレベル測定部２３に出力するとともに、放送用電波から取り出した放送用データストリームに時系列に含まれるＲＴＰパケットを、時間Ｔ１間隔（例えば、１秒間隔）で蓄積して、データ格納部２９に格納する。
【００２０】
図２には、データ格納部２９に格納されたデータの時間的変化を示す。同図によれば、電波受信部２１が放送用電波の受信開始時刻Ｔ＝０から時刻Ｔ＝Ｔ１までの間に、複数のＲＴＰパケットからなるＲＴＰパケット群Ｄ０１が搬送された放送用電波を受信すると、電波復調部２２は、時刻Ｔ＝Ｔ１経過時に放送用電波からＲＴＰパケット群Ｄ０１を取り出してデータ格納部２９に格納する。その後、同様にして電波復調部２２は、時刻Ｔ＝２Ｔ１，３Ｔ１，４Ｔ１までの間に、ＲＴＰパケット群Ｄ０２，Ｄ０３，Ｄ０４を順次取り出してデータ格納部２９に追加する。
【００２１】
また、図３は、データ格納部２９に格納されたＲＴＰパケットのデータフォーマットを示す図である。同図に示すように、ＲＴＰパケットは、ＲＴＰパケットの再生順序を特定するための連続番号である“シーケンス番号”を記憶するデータフィールドＦ０１と、ＲＴＰパケットに含まれる音声データ、映像データ等の圧縮データの再生時刻又はキャプチャ時刻を表す“タイムスタンプ”を記憶するデータフィールドＦ０２と、音声データ、映像データ等の圧縮データを記憶するデータフィールドＦ０３とを含んで構成されている。
【００２２】
図１に戻って、電波復調部２２は、時間Ｔ１間隔でデータ格納部２９にＲＴＰパケット群を格納する際に、そのＲＴＰパケット群に含まれる全てのシーケンス番号を抽出して送信要求部２６に出力する。併せて、電波復調部２２は、そのＲＴＰパケット群に含まれる全てのシーケンス番号を時系列にデータ出力部３０に出力する。
【００２３】
レベル測定部２３は、電波復調部２２から出力された放送用電波の受信レベル及びノイズレベルを、電波復調部２２によるＲＴＰパケット群格納のタイミングに同期させて測定する部分である。ここでは、放送用電波の受信レベルとして、ＯＦＤＭ方式等で多重化された複数の搬送波を含む受信電波の電力の総和が測定される。また、ノイズレベルとしては、放送用電波に含まれるノイズの受信電力が測定される。レベル測定部２３は、放送用電波の受信レベルＣ［dBm］及びその放送用電波に含まれるノイズのレベルＮ［dBm］を、ＲＴＰパケット群の格納タイミングに同期させるように時間Ｔ１間隔で測定して、それらのレベルを受信品質判定部２４に出力する。
【００２４】
受信品質判定部２４は、レベル測定部２３から受け取った放送用電波の受信レベルＣ［dBm］及びその放送用電波に含まれるノイズのレベルＮ［dBm］に基づいて、電波復調部２２によるＲＴＰパケット群格納のタイミングに同期させて放送用電波の受信品質を判定する部分である。すなわち、受け取った受信レベルがＣ［dBm］、ノイズレベルがＮ［dBm］の場合においては、受信レベルＣ［dBm］及びＣＮ比Ｃ／Ｎ［dB］と、それぞれの閾値とを比較した結果によって受信品質を判定する。より詳細には、下記式（１）及び（２）を同時に満たす場合、下記式（３）及び（４）を同時に満たす場合、及び下記式（５）及び（６）を同時に満たす場合には、放送用データストリームを良好に再生可能と判断し、受信品質を「強」と判定する。
Ｃ≧ａ１        …（１）
Ｃ／Ｎ≧ｂ１    …（２）
Ｃ＜ａ１        …（３）
Ｃ／Ｎ＞ｂ２    …（４）
Ｃ＞ａ２        …（５）
Ｃ／Ｎ＜ｂ１    …（６）
［式（１）〜（６）中、ａ１，ａ２，ｂ１，ｂ２は予め設定された閾値を表す］
【００２５】
一方、受信品質判定部２４は、下記式（７）及び（８）、又は下記式（９）及び（１０）を同時に満たす場合には、映像データの再生時にブロックノイズが発生する可能性があると判断し、受信品質を「弱」と判定する。
ａ２≧Ｃ＞ａ１  …（７）
ｂ１＞Ｃ／Ｎ  …（８）
ａ１≧Ｃ  …（９）
ｂ２≧Ｃ／Ｎ＞ｂ１  …（１０）
［式（７）〜（１０）中、ａ１，ａ２，ｂ１，ｂ２は予め設定された閾値を表す］
【００２６】
一方、受信品質判定部２４は、上記式（８）及び（９）を同時に満たす場合には、映像データ及び音声データともに再生不可能と判断し、受信品質を「圏外」と判定する。図４は、上述のようにして受信品質判定部２４が判定する受信品質と、受信レベル及びＣＮ比との対応関係を示す図である。同図に示すように、受信レベルＣの値及びＣＮ比の値の組合せで受信品質が判定される。
【００２７】
図１に戻って、さらに、受信品質判定部２４は、受信品質を「圏外」と判定した場合は、送信要求部２６にＲＴＰパケット要求トリガーを出力する。
【００２８】
送信要求部２６は、受信品質判定部２４によって受信品質が「圏外」と判定された場合に、データ配信装置４に対してＲＴＰパケットの送信要求信号を送信する部分である。この場合、送信要求部２６は、電波復調部２２から受け取ったシーケンス番号により、受信品質が「圏外」と判定されたタイミングにおける放送用電波に変調されているＲＴＰパケットを特定し、これらのシーケンス番号を送信要求信号に付加して送信する。例えば、電波復調部２２によってシーケンス番号「Ｓｅｑ００１」〜「Ｓｅｑ０１０」で特定される１０個のＲＴＰパケットを含むＲＴＰパケット群Ｄ０２がデータ格納部２９に格納されるタイミングにおいて、受信品質判定部２４によって受信品質が「圏外」と判定された場合は、送信要求部２６は、シーケンス番号「Ｓｅｑ００１」〜「Ｓｅｑ０１０」を含む送信要求信号を生成して送信する。
【００２９】
また、送信要求部２６は、この送信要求信号を移動端末２と通信ネットワーク５との間のデータ通信用の制御チャンネルを用いて送信する。ここで言うデータ通信用の制御チャンネルとは、Ｗ−ＣＤＭＡ（Wideband Code Division Multiple Access）方式等における移動端末と基地局との間のＣプレーン（Ｃ−plane）に代表される移動端末２と通信ネットワーク５との間の無線区間の制御信号を転送するための通信チャンネルを意味する。
【００３０】
データ受信部２７は、送信要求部２６による送信要求信号に応じてデータ配信装置４から送信されたＲＴＰパケットを、放送用電波を利用した通信以外のデータ通信によって受信する部分である。具体的には、データ受信部２７は通信ネットワーク５を経由してデータ配信装置４から、ＩＭＴ−２０００方式、ＰＤＣ方式、ＰＨＳ方式等の移動通信方式を利用したパケットデータ通信によりＲＴＰパケットを受信する。例えば、送信要求部２６によりシーケンス番号「Ｓｅｑ００１」〜「Ｓｅｑ０１０」を含む送信要求信号が送信された場合は、データ受信部２７は、それぞれのシーケンス番号を含むＲＴＰパケットを受信する。また、データ受信部２７は、受信したＲＴＰパケットをデータ更新部２８に出力する。
【００３１】
データ更新部２８は、データ受信部２７によって受信されたＲＴＰパケットをもって、電波復調部２２によってデータ格納部２９に格納されたＲＴＰパケットを更新する部分である。具体的には、データ更新部２８は、データ受信部２７から受け取ったＲＴＰパケットに含まれるシーケンス番号と同一のシーケンス番号を含むＲＴＰパケットを検索し、読み出されたＲＴＰパケットをデータ受信部２７から受け取ったＲＴＰパケットによって更新する。なお、データ更新部２８は、データ受信部２７から受け取ったＲＴＰパケットに含まれるシーケンス番号と同一のシーケンス番号を含むＲＴＰパケットが存在しない場合は、受け取ったＲＴＰパケットを、シーケンス番号順に並ぶようにデータ格納部２９に保存する。
【００３２】
遅延処理部２５は、電波受信部２１による放送用電波の受信開始時刻から所定時間経過後に、その放送用電波に変調されているＲＴＰパケットを出力するように制御する部分である。具体的には、遅延処理部２５は、電波受信部２１から受け取った受信開始時刻から所定時間Ｔ２が経過したタイミングで、データ出力部３０に対して、ＲＴＰパケットの出力指示を行う。
【００３３】
データ出力部３０は、データ格納部２９に格納されたＲＴＰパケットを、放送用電波受信時刻から所定時間Ｔ２経過後に伸長して、音声情報、映像情報、及び文字情報として出力する部分である。すなわち、データ出力部３０は、遅延処理部２５からの指示に伴い、電波復調部２２から受け取ったシーケンス番号によって特定されるＲＴＰパケットを、順次データ格納部２９から読み出す。さらに、データ出力部３０は、読み出したＲＴＰパケットのデータ部（図３参照）に格納されている音声データ、映像データ、又は文字データを伸長処理した後、シーケンス番号順にスピーカ３３又はディスプレイ３２に出力する。又は、データ出力部３０は、読み出したＲＴＰパケットに含まれる音声データ、映像データ、又は文字データを、所定データフォーマットの録画データとして出力した後、シーケンス番号順に録画データ格納部３１に記憶することも行う。
【００３４】
例えば、図２に示すように、電波復調部２２によって時刻Ｔ＝５Ｔ１までにＲＴＰパケット群Ｄ０１〜Ｄ０５がデータ格納部２９に格納され、データ出力部３０における出力遅延時間がＴ２＝５Ｔ１と設定されている場合を想定する。この場合、データ出力部３０は、時刻Ｔ＝５Ｔ１（＝Ｔ２）経過後に、ＲＴＰパケット群Ｄ０１に含まれるＲＴＰパケットを順番に伸長出力する。その後、データ出力部３０は、時間Ｔ１間隔で各ＲＴＰパケット群Ｄ０２，Ｄ０３に含まれるＲＴＰパケットを伸長出力する。つまり、各ＲＴＰパケット群Ｄ０１，Ｄ０２，Ｄ０３は、放送用電波として搬送されて電波受信部２１によって受信されてから時間Ｔ２分遅延して出力されることとなる。
【００３５】
また、図５は、ＲＴＰパケットがデータ更新部２８によって更新される場合に、データ格納部２９に格納されたデータの時間的変化を示す図である。この場合、時刻Ｔ＝２Ｔ１経過時にＲＴＰパケット群Ｄ０２がデータ格納部２９に格納されると同時に受信品質判定部２４により受信品質が「圏外」と判定された後、ＲＴＰパケット群Ｄ０２に含まれるＲＴＰパケットに関する送信要求信号が送信要求部２６によって送信される。その後、時刻Ｔ＝４Ｔ１経過後にデータ受信部２７によってＲＴＰパケット群Ｄ０２が受信され、データ更新部２８によってＲＴＰパケット群Ｄ０２が置換される。ここでは、受信品質判定部２４による判定処理時間及び移動端末２とデータ配信装置４との間の通信遅延時間の和が約２Ｔ１となっている。その後、データ出力部３０が、データ格納部２９に格納された各ＲＴＰパケット群Ｄ０１，Ｄ０２，Ｄ０３を、時間Ｔ２分遅延させて出力する。この際、データ出力部３０における出力遅延時間Ｔ２は、上記の判定処理時間及び上記の通信遅延時間の和より大きくなるように随時変更可能に設定される。
【００３６】
このように、データ出力部３０において出力遅延時間Ｔ２を設けることで、データ受信部２７によってＲＴＰパケットが補完される場合であっても、受信品質の測定からＲＴＰパケットの置換までの処理を出力遅延時間Ｔ２内に収めることができ、映像データ、音声データ等の放送データを滞り無く時間的に連続して出力させることができる。この方法によれば、電波受信部２１で受信される放送用電波がリアルタイムで放送されたものを遅延出力した場合であっても、補正された放送データを滞り無く連続的に出力させることによって、リアルタイムで放送された場合と同様に、視聴者に違和感を与えることなく放送を提供することができる。
【００３７】
図１に戻って、データ配信装置４は、放送用電波中継局３から送信される放送用電波によって搬送されるＲＴＰパケットと同一のＲＴＰパケットを格納するコンピュータシステム（又は、コンピュータシステムの集合体）である。このデータ配信装置４は、通信ネットワーク５を介して移動端末２とデータ通信が可能とされている。データ配信装置４は、機能的構成要素として、送信要求受信部４１、データ読出部４２と、データ送信部４３と、データストリーム格納部４４とを含んで構成されている。
【００３８】
送信要求受信部４１は、通信ネットワーク５を介して移動端末２よりＲＴＰパケットを要求するための送信要求信号を受信する部分である。この送信要求信号には、要求するＲＴＰパケットを特定するシーケンス番号が付加されている。送信要求受信部４１は、移動端末２から送信要求信号を受信すると、その送信要求信号からシーケンス番号を抽出してデータ読出部４２に出力する。
【００３９】
データ読出部４２は、送信要求受信部４１から受け取ったシーケンス番号に基づいてデータストリーム格納部４４を参照して、そのシーケンス番号と同一のシーケンス番号を含むＲＴＰパケットを読み出す。なお、データストリーム格納部４４には、放送用電波中継局３が中継する放送用電波によって搬送される全てのＲＴＰパケットと同一のＲＴＰパケットが格納されている。また、データ読出部４２は、読み出したＲＴＰパケットをデータ送信部４３に出力する。
【００４０】
データ送信部４３は、データ読出部４２から受け取ったＲＴＰパケットを、通信ネットワーク５を介したデータ通信によって移動端末２に送信する部分である。
【００４１】
続いて、本実施形態にかかるデジタル放送受信システム１の動作について説明し、併せて、本発明の実施形態にかかる放送受信方法について説明する。
【００４２】
図６は、デジタル放送受信システム１の放送用電波受信時の動作を示すシーケンス図である。
【００４３】
まず、放送用電波中継局３から放送用電波が送信されると、移動端末２の電波受信部２１が受信する（ステップＳ１）。その後、移動端末２は、放送用電波から放送用データストリームを取り出す電波受信処理（詳細は、後述する。）を行う（ステップＳ２）。さらに、電波受信処理において放送用電波の受信品質を「圏外」と判定した場合、移動端末２はデータ配信装置４に対して直前の放送用電波に復調されていたＲＴＰパケットに関する送信要求信号を送信する（ステップＳ３）。
【００４４】
データ配信装置４の送信要求受信部４１によって送信要求信号が受信されると、データ読出部４２によってデータストリーム格納部４４から該当ＲＴＰパケットが読み出される（ステップＳ４）。読み出されたＲＴＰパケットは、データ配信装置４のデータ送信部４３から移動端末２に送信される（ステップＳ５）。
【００４５】
そして、移動端末２は、データ配信装置４からＲＴＰパケットを受信すると、データ格納部２９のＲＴＰパケットの置換処理、及びデータ格納部２９からのＲＴＰパケットの出力処理を行う（ステップＳ６）。
【００４６】
以上説明したステップＳ１〜Ｓ６までの処理は、放送用電波が移動端末２において受信されている間において、時間Ｔ１間隔で繰り返し行われる。
【００４７】
以下、図７を用いて移動端末２の動作についてより詳細に説明する。図７は、移動端末２の放送用電波受信からデータ出力までの動作を示すシーケンス図である。
【００４８】
最初に、移動端末２においてデジタルテレビ放送の視聴開始指示が受け付けられると、電波受信部２１が放送用電波中継局３からの放送用電波の受信を開始する（ステップＳ１０１）。その後、電波復調部２２は、放送用電波からその放送用電波に多重化された搬送波を分離する（ステップＳ１０２）。同時に、レベル測定部２３が放送用電波の受信レベル及びノイズレベルを測定し、受信品質判定部２４に出力する（ステップＳ１０３）。また、電波復調部２２は、分離した搬送波を復調することにより放送用データストリームを取り出す（ステップＳ１０４）。その後、電波復調部２２は、放送用データストリームに時系列に含まれるＲＴＰパケットを分割してデータ格納部２９に格納する（ステップＳ１０５）。
【００４９】
そして、受信品質判定部２４は、レベル測定部２３によって測定された放送用電波の受信レベル及びノイズレベルに基づいて、放送用電波の受信品質を判定する（ステップＳ１０６）。その後、受信品質判定部２４は、判定した受信品質が「圏外」であるか否かを判断する（ステップＳ１０７）。判断の結果、判定した受信品質が「圏外」でない場合（ステップＳ１０７；ＮＯ）は、処理をステップＳ１１２に移行させる。
【００５０】
一方、判定した受信品質が「圏外」である場合（ステップＳ１０７；ＹＥＳ）は、送信要求部２６は、電波復調部２２から受け取ったシーケンス番号によって、データ配信装置４に送信を要求するＲＴＰパケットを特定する（ステップＳ１０８）。そして、送信要求部２６は、電波復調部２２から受け取ったシーケンス番号を含む送信要求信号をデータ配信装置４に向けて送信する（ステップＳ１０９）。
【００５１】
その後、データ受信部２７によってデータ配信装置４からＲＴＰパケットが受信される（ステップＳ１１０）。そして、データ更新部２８は、受信されたＲＴＰパケットをもって、データ格納部２９に格納されている同一のシーケンス番号を含むＲＴＰパケットを更新する（ステップＳ１１１）。
【００５２】
さらに、データ出力部３０は、電波受信部２１によってＲＴＰパケットが変調された放送用電波が受信されているか否かを判定する（ステップＳ１１２）。判定の結果、ＲＴＰパケットが変調された放送用電波が受信されている場合（ステップＳ１１２；ＮＯ）、データ出力部３０は、データ格納部２９に格納されているＲＴＰパケットを所定時間Ｔ２遅延させて伸長処理を行った後、ディスプレイ３２、スピーカ３３、又は録画データ格納部３１に対して出力し（ステップＳ１１３）、処理をステップＳ１０１に戻す。一方、ＲＴＰパケットが変調された放送用電波が受信されていない場合（ステップＳ１１２；ＹＥＳ）、データ出力部３０は、データ格納部２９に格納されている全てのＲＴＰパケットを所定時間Ｔ２遅延させて伸長出力した後（ステップＳ１１４）、放送用電波の受信処理を終了する。
【００５３】
次に、図８を参照して、移動端末２において放送用電波として受信されたＲＴＰパケット群が、遅延出力されるまでのデータの受信状態についてより具体的に説明する。図８において、（ａ）は、電波受信部２１によるＲＴＰパケット群の受信経過の一例、（ｂ）は、データ受信部２７によるＲＴＰパケット群の受信経過の一例、（ｃ）は、データ出力部３０によるＲＴＰパケット群の出力経過の一例を示す図である。
【００５４】
図８（ａ）に示す例においては、時刻Ｔ＝Ｔ１〜７Ｔ１までの間にＲＴＰパケット群Ｄ０１〜Ｄ０７が放送用電波に変調された状態（放送系統）で受信されており、各時刻における放送用電波の受信品質を判定するための値（Ｃ又はＣ／Ｎ）が実線Ｌ０１で示されている。この場合、ＲＴＰパケット群Ｄ０２，Ｄ０５，Ｄ０６受信時の受信品質を判定するための値が閾値以下であるので、送信要求部２６によってＲＴＰパケット群Ｄ０２，Ｄ０５，Ｄ０６を再度取得するための送信要求信号が、データ配信装置４に向けて送信される。その結果、図８（ｂ）に示すように、ＲＴＰパケット群Ｄ０２，Ｄ０５，Ｄ０６が、遅延時間ΔＴ１，ΔＴ２，ΔＴ３後に、通信ネットワーク５を介したパケットデータ通信（通信系統）により受信されることとなる。
【００５５】
さらに、図８（ｃ）に示すように、遅延処理部２５の遅延処理によって、ＲＴＰパケット群Ｄ０１〜Ｄ０７が、時間Ｔ２だけ遅延した状態で順にデータ出力部３０から出力される。その際には、ＲＴＰパケット群Ｄ０２，Ｄ０５，Ｄ０６が、通信系統により受信されたものと置換された状態で出力される。
【００５６】
以上説明したデジタル放送受信システム１によれば、移動端末２が放送用電波を受信した後、放送用電波から搬送波を分離して復調することにより、映像データや音声データを含む放送用データストリームに復調し、データストリームに含まれるＲＴＰパケットをデータ格納部２９にいったん格納する。また、移動端末２は、放送用電波の受信品質を判定して所定条件を満たさない場合に、その時の放送用電波に変調されているＲＴＰパケットを特定してデータ配信装置４に送信要求し、再送されてきたＲＴＰパケットを放送用電波以外の通信媒体によって受信して、データ格納部２９に格納されているＲＴＰパケットと置き換えた後、データ格納部２９に格納されているＲＴＰパケットを電波受信時刻から時間Ｔ２遅延させて出力する。これにより、電波受信環境の劣化により受信品質が所定条件を満たさない場合は、データ通信によって再度ＲＴＰパケットを受信して補完することで、放送用電波の帯域幅を維持して効率的なデータ伝送を実現しながら放送の受信品質の劣化を防止することができる。
【００５７】
また、移動端末２は、ＲＴＰパケットを放送用電波の送信側で採番されたシーケンス番号で特定して送信要求を行い、該当シーケンス番号が付されたＲＴＰパケットを更新するので、ＲＴＰパケット送信側に対して確実に送信要求対象のパケットデータを通知して補完することができる。
【００５８】
なお、本発明は上述した実施形態に限定されるものではない。例えば、移動端末２は、複数のＲＴＰパケットを含むＲＴＰパケット群を受信する時間Ｔ１間隔で放送用電波の受信品質を判定しているが、１以上の所定数のＲＴＰパケットを受信するタイミング毎に受信品質を判定して、データ配信装置４にＲＴＰパケットの送信を要求してもよい。
【００５９】
また、移動端末２は、データ配信装置４にＲＴＰパケットの送信要求信号を送信する際に、ＲＴＰパケットのデータフィールドＦ０２に記憶される“タイムスタンプ”（時刻情報）によって送信を要求するＲＴＰパケットを特定し、タイムスタンプを送信要求信号に付加するようにしてもよい。この場合、データ更新部２８は、データ受信部２７から受け取ったＲＴＰパケットに含まれるタイムスタンプと同一のタイムスタンプを含むＲＴＰパケットをデータ格納部２９から検索し、読み出されたＲＴＰパケットをデータ受信部２７から受け取ったＲＴＰパケットによって更新するようにしてもよい。
【００６０】
また、移動端末２は、放送用電波の受信品質が「圏外」の場合に、データ配信装置４に対してＲＴＰパケットの送信を要求しているが、ＲＴＰパケットの送信要求の条件は、適宜変更してもよい。例えば、移動端末２は、放送用電波の受信品質が「弱」の場合にもＲＴＰパケットの送信を要求してもよい。
【００６１】
また、移動端末においては、受信レベルとして移動端末２における放送用電波の電界強度、及びノイズレベルとしてノイズの電界強度を測定し、これらに基づいて受信品質を判定するように動作しても良い。
【００６２】
また、移動端末において、受信レベルとして、１つの放送用データストリームが搬送される複数搬送波の一定時間内の受信電力Ｓを測定しても良い。この場合、これらの複数搬送波に含まれるノイズの一定時間内の受信電力Ｎ（ノイズレベル）を測定した後、この受信電力の比（Ｓ／Ｎ比）に基づいて受信品質を判定するように動作しても良い。
【図面の簡単な説明】
【００６３】
【図１】本発明にかかるデジタル放送受信システムの好適な一実施形態を示す概略構成図である。
【図２】図１のデータ格納部に格納されたデータの時間的変化を示す図である。
【図３】図１のデータ格納部に格納されたＲＴＰパケットのデータフォーマットを示す図である。
【図４】図１の受信品質判定部が判定する受信品質と、受信レベル及びＣＮ比との対応関係を示す図である。
【図５】図１のデータ更新部によってＲＴＰパケットが更新される場合に、データ格納部に格納されたデータの時間的変化を示す図である。
【図６】デジタル放送受信システムの放送用電波受信時の動作を示すシーケンス図である。
【図７】図１の移動端末の放送用電波受信からデータ出力までの動作を示すシーケンス図である。
【図８】（ａ）は、図１の電波受信部によるＲＴＰパケット群の受信経過の一例、（ｂ）は、図１のデータ受信部によるＲＴＰパケット群の受信経過の一例、（ｃ）は、図１のデータ出力部によるＲＴＰパケット群の出力経過の一例を示す図である。
【符号の説明】
【００６４】
１…デジタル放送受信システム、２…移動端末、３…放送用電波中継局、４…データ配信装置、５  通信ネットワーク、２１…電波受信部、２２…電波復調部、２３…レベル測定部、２４…受信品質判定部、２５…遅延処理部、２６…送信要求部、２７…データ受信部、２８…データ更新部、２９…データ格納部、３０…データ出力部、３１…録画データ格納部、３２…ディスプレイ、３３…スピーカ、４１…送信要求受信部、４２…データ読出部、４３…データ送信部、４４…データストリーム格納部。  
【図１】
2006013960.tif 000003
【図２】
2006013960.tif 000004
【図３】
2006013960.tif 000005
【図４】
2006013960.tif 000006
【図５】
2006013960.tif 000007
【図６】
2006013960.tif 000008
【図７】
2006013960.tif 000009
【図８】
2006013960.tif 000010